(57)【特許請求の範囲】
【請求項１】
飛行物体用発射機が、
前記飛行物体が発射される前に置かれる面を形成する弾性材料シートと、
前記飛行物体と接し、前記飛行物体に前進運動を加えるように引きもどされ続いて解放される、前記弾性材料シートの折り曲げた部分で成形された作動部材と、
を具備する飛行物体用発射機。
【請求項２】
前記弾性材料シートが前記作動部材を形成するために、部分的に切断されて、折り曲げられていて、前記作動部材が引きもどされ続いて開放されると、その作動部材は前記弾性材料シートの前記面に直交する軸の周囲で曲がるところの、請求項１に記載の飛行物体用発射機。
【請求項３】
前記作動部材が、その弾性材料シート自身上に折り曲げられていて、さらに面から突き出して曲げられており、前記弾性材料シートに固定されていて、その弾性材料シートに対し９０度の角度を形成している前記弾性材料シートの伸長部を具備しているところの、請求項２に記載の飛行物体用発射機。
【請求項４】
前記作動部材が、前記弾性材料シートの前記面において、前記飛行物体に前進運動と共に回転運動を加えるところの、請求項１に記載の飛行物体用発射機。
【請求項５】
前記飛行物体がブーメランを具備しているところの、請求項４に記載の飛行物体用発射機。
【請求項６】
前記飛行物体用発射機の機能的な要素は、前記弾性材料シートの一部分である、請求項４に記載の飛行物体用発射機。
【請求項７】
前記飛行物体用発射機により発射される前記飛行物体を生産するために、前記弾性材料シートが切断される、請求項２に記載の飛行物体用発射機。
【請求項８】
前記弾性材料シートが前記作動部材を形成するために、成形されている、請求項１に記載の飛行物体用発射機。
【請求項９】
複数の翼を含む本体を有する飛行物体用の発射機であって、
前記飛行物体がその本体に点において接する停止板と、
前記飛行物体が前記停止板の周囲における回転運動を伴なって発射機から前方へ推進されるように、前記飛行物体に前進運動を加えるよう前記飛行物体の翼の一つに接する作動部材と、
前記飛行物体が発射前に置かれていて、前記停止板および前記作動部材が突き出しているところのほぼ平らな台とを具備している飛行物体用発射機において、
前記台と前記停止板と前記作動部材とが、前記停止板および前記作動部材を成形すべく折り曲げられる、単一の材料シートから作られており、
前記停止手段と前記作動部材とを形成するために前記弾性材料シートを折り曲げる前に、前記弾性材料シートは前記台と前記作動部材とを形成するべく一部分が切断されるようになっている、
飛行物体用発射機。
【請求項１０】
前記飛行物体用発射機により発射される前記飛行物体を生産するために、前記弾性材料シートが切断される、請求項９に記載の飛行物体用発射機。
【発明の詳細な説明】
【０００１】
本発明の分野
本発明はおもちゃおよびゲーム、特に飛行用おもちゃに関するもので、そのようなおもちゃを発射する方法および装置に関する。
【０００２】
本発明の背景
ブーメランは、狩猟用武器としてオーストラリアのアボリジニーにより発明されたのを起源としている。ブーメランは一般的に、頂点で結合された共通の角度を有する二つの翼を具備している。翼は、ブーメランが正しく投げられると、円弧を描いて投げられた元の場所にもどってくるように形状化されている。しかしながら、ブーメランを正しく投げることには、体力と調和的な動きと技巧とを必要とする。投げる人はブーメランを、必要とされる空気力学的な効果を得るために、自分の筋力と手と足と胴とを使って、前進運動量および回転運動量の正しい組合せで発射しなければならない。ブーメランは、投げることの困難さと、誤まって飛行されたブーメランが仲間や見物者に突きあたることのために、おもちゃとしての人気に制約があった。軽くて小さなブーメランは、旋回して飛行させるための十分な運動量で、一般には投げることはできない。
【０００３】
従来技術において公知である、例えばプロペラとか、パラシュートとか、回転翼とかによるフリスビー（ｆｒｉｓｂｅｅ）や他のおもちゃのような、その他の飛行用おもちゃは、また前進運動量および回転運動量によって揚力を生じさせている。このようなおもちゃは、投げられた場所に正しくもどってくることのできるブーメランの特性を、一般的に有していない。
【０００４】
欧州特許第７１３１９号（ＥＰ０７１３１９）は、ブーメランとか同様な他の物体を発射する装置を開示している。ホルダーが、ブーメランを受け入れるために、頂点がそう入されるせまい端部と、翼用の広い端部を持つ連続溝を有している。打器がホルダーのせまい端部の開口部を介して頂点を打ち、ブーメランを前方に推進する。ホルダーの広い端部の一方の側における停止板が、翼の一方の先端と咬合し保持していて、ブーメランがホルダーの外に前進移動するとブーメランを先端の周囲で回転させる。
【０００５】
欧州特許で開示されたブーメラン発射機には多くの以下の欠点がある：
（１）ブーメラン発射機の固定され、部分的に閉じた機械的な構造のために、非常に限られた範囲における、サイズおよび翼の角度だけのブーメランを発射することしかできない。
（２）ブーメラン発射機が、数個の作動部品を含む多数の種々の部品を含んでいて、コストを増大し信頼性を低下させている。
（３）ブーメランがそう入されなければならない溝は、その長手方向に沿って多数の点においてブーメランを係合していて、打器により加えられるエネルギーの部分がブーメランを発射機から放つのに無駄にされている。
（４）さらにエネルギーは、翼が停止板に咬合する際、無駄にされる。というのは力が、ブーメランのこの点において、必要とされる飛行方向に対して大なり小なり対向する方向に作用するからである。もう一方の係合されていない翼だけが、前進運動量を有していて、ブーメランが飛行するのに必要な揚力を発生する。
（５）打器はブーメランに急激で衝撃的な力で作用するので、発射機は小さくて柔軟なブーメランに使用することはできないかも知れない。
【０００６】
本発明の概要
ブーメランおよび他の飛行用おもちゃの発射のための改善された、装置および方法を提供することが本発明のいくつかの形態における目的である。
【０００７】
最小の独立部品数で、簡単で安価に生産出来る、ブーメランおよび発射機を提供することが、本発明のいくつかの形態におけるさらなる目的である。
【０００８】
本発明における好適な実施の形態において、以下のことが提供されている。
複数の翼を含む本体を有するブーメランのような飛行物体用の発射機において、該飛行物体用発射機が、
該飛行物体が、その本体の点において係合する停止板と、
該飛行物体が、該停止板の周囲における回転運動を伴なって発射機から前方へ推進されるように、該飛行物体に前進運動を加えるよう、該飛行物体の翼の一つに係合する作動部材と、
を含んでいる。
【０００９】
好ましくは該作動部材が、該翼に前進運動を加えるために、引きもどされ続いて解放される弾性要素を含んでいる。
【００１０】
さらに好ましくは、該飛行物体用発射機は、該飛行物体が発射前に置かれていて、該停止板および該作動要素が突き出しているところのほぼ平らな台を含んでいて、該台と該停止板と該作動要素とが最も好ましくは、該停止板および該作動要素を成形すべく折り曲げられる、単一の材料シートから作られている。
【００１１】
本発明における好適な実施の形態において、さらに以下のことが提供されている。
ブーメランのような、飛行物体用発射機において、該飛行物体用発射機が、
該飛行物体が発射される前に置かれる面を形成する弾性材料シートと、
該飛行物体と係合し、該飛行物体に前進運動を加えるように引きもどされ続いて開放される、該弾性材料シートの折り曲げた部分で成形された作動部材と、
を含んでいる。
【００１２】
好ましくは該作動部材が、該弾性材料シートの該面において、該飛行物体に前進運動と共に回転運動を加える。
【００１３】
好ましくは、該弾性材料シートが該作動部材を成形するために、部分的に切断されて、折り曲げられていて、該作動部材が引きもどされ続いて開放されると、その作動部材は該弾性材料シートの該面にほぼ直交する軸の周囲で曲がる。
さらに好ましくは、該作動部材が、その弾性材料シート自身上に折り曲げられていて、さらに面から突き出して曲げられており、該弾性材料シートに固定されていて、その弾性材料シートに対し約９０度の角度を形成している該弾性材料シートの伸長部を含んでいる。
最も好ましくは、該飛行物体用発射機が、弾性材料シートの部分ではない、機能的な要素をほとんど含んでいない。
【００１４】
本発明における好適な実施の形態において、また以下のことが提供されている。
好ましくはブーメランのような飛行用おもちゃが、頂点で結合される複数の翼を成形すべく切断されるほぼ平らな材料シートを含んでいて、一つまたはそれ以上の該翼がリフトフラップを作るべく折り曲げられている。
【００１５】
本発明における好適な実施の形態において、追加して以下のことが提供されている。
ほぼ平らな材料シートから、ブーメランのような飛行用おもちゃを製作する方法が、
頂点で結合された複数の翼を成形するべく該材料シートを切断する段階と；
リフトフラップを成形すべく一つまたはそれ以上の該翼を折り曲げる段階と；
を含んでいる。
【００１６】
本発明における好適な実施の形態において、さらに以下のことが提供されている。
飛行物体用発射機の製作方法が、
該飛行物体が発射前に置かれる平面部分と、作動部分とを形成するように、弾性材料シートを切断する段階と、
該飛行物体に係合していて、引きもどされ続いて解放され、該飛行物体に前進運動を加える作動部材を作るべく、該弾性材料シートの作動部分が折り曲げられる該弾性材料シートに一つまたはそれ以上の折り目を準備する段階と、
を含んでいる。
【００１７】
好ましくは、該弾性材料シートが切断されて、該作動部分が折り曲げられると、該作動部材は、該作動部材が引きもどされ、続いて解放される際、該弾性材料シートの該平面にほぼ直交する軸の周囲で曲がる。
【００１８】
本発明における好適な実施の形態において、さらにまた以下のことが提供されている。
複数の翼を含む本体を有するブーメランのような飛行物体発射方法において、該飛行物体発射方法が：
該飛行物体の該本体における点において停止板に対し、該飛行物体を係合する段階と；
作動部材を、該飛行物体が該停止板の周囲で回転運動を伴なって発射されるように、該飛行物体に前進運動を加えるべく該飛行物体の該翼の一つに係合する段階と、
を含んでいる。
【００１９】
好ましくは、該作動部材を該翼の該一つに係合する段階が、弾性要素を引きもどす段階と続いて解放する段階とを含んでいる。
【００２０】
本発明は、図面と共に好適な実施の形態における後述の詳細な説明において、より完全に理解される。
【００２１】
参照する実施の形態の詳細な説明
図１，２、および３において、本発明の好適な実施の形態における、ブーメラン２１およびブーメラン発射機２０が概略的に示めされている。図１および２は平面図であって、図３は斜視図である。図２において、ブーメラン２１は発射時の連続的な状態を略図２１ａ，２１ｂ、および２１ｃで示めされている。
【００２２】
ブーメラン２１は、頂点２８において結合された翼３１で組立てられた単一胴体を具備している。ブーメランを生産する好適な、構造および方法がさらに後述される。発射機２０はほぼ平らなシート２２を具備していて、そのシート面に発射前のブーメラン２１が置かれている。一つの停止板〔（ｓｔｏｐ）２３〕（または選択的には二つまたはそれ以上の停止板）および作動部材（ｍｏｖｉｎｇ  ｍｅｍｂｅｒ）２５が、シート２２から上向きに突き出している。発射に先立って、翼３１の一の先端２６が作動部材２５に係合され、ブーメラン胴体が点２７において停止板２３に係合している。以下の点は注意される事であって、発射機に対するブーメランの位置は固定されていなくて、先端２６が部材２５にそって様々な位置に移動されてもよくて、そのことにより翼と部材との間で形成される角度１８を変化出来、ブーメランの飛行特性を選択出来る。さらに以下の点は注意される事であって、発射機２０の例示の構造は、前述の欧州特許第７１３１９号（ＥＰ０７１３１９）で開示された発射機と違って、種々の、サイズと形状と頂点角度とのブーメランを乗せることができる。ブーメラン２１は、反対方向すなわち、頂点２８が停止板２３の方向を指すというよりはむしろ外側の方向に発射されてもよい。
【００２３】
発射機２０の部分が好ましくは、弾性材料の単一シートを適切に切断し、折り曲げることにより作られている。好適な形態におけるこの型式の構造が以下の図４，５および６に示めされている。代りに従来技術で公知なように、発射機は、多数の部品及び／または種々の材料から組立られてもよくて、または好適な適切なプラスチックで成形されてもよい。選択的には、発射機はハンドル２４を含んでいる。図３における実施の形態において、作動部材２５は、突き出し２９を具備していて、シート２２と好ましくはハンドル２４とに結合されており、部材がブーメランを発射するために曲げられる際の機械的強度を備えている。
【００２４】
ブーメラン２１を発射するために、使用者はブーメランをシート２２の表面に置き、さらに停止板２３に対し必要とされる点２７に係合する。ブーメランの位置は、先端２６と点２７との間のより長いレバーアームがより短かいレバーアームにするべく変更されてもよい。図３に矢印Ａ，ＢおよびＣでそれぞれ示めされるように、発射するために必要とされる高さと方位角と傾きとは選択される。使用者は、好ましくは親指と人指し指との間でハンドル２４を把持して、図２に示めされるように、部材２５の先端３２を引きもどし、続いて急にそれを手放す。部材２５がスプリングバックして先端２６に前進運動量を作用する。先端２６が前進すると、ブーメランは同時に停止板２３の点２７の周囲を回転運動する。ブーメランの回転および前進運動が、同様に対向する翼３０にも作用される。
【００２５】
このように、前述した欧州特許第７１３１９号（ＥＰ０７１３１９）に開示された発射機と違って、先端３０はどのようにも拘束されないで、発射機２０によりブーメラン２１に働くほぼすべての力が、必要とされる運動方向となる。部材２５は、欧州特許第７１３１９号（ＥＰ０７１３１９）のようなブーメランの頂点においてというよりはむしろ、翼３１にそった点においてブーメラン２１と接触する。それゆえ、ブーメランは高速度で効果的に発射機から飛び立ち、両方の翼３１が強力な空気力学的揚力を発生することに寄与している。
【００２６】
図４，５および６は、本発明のもう一つの好適な実施の形態における、ブーメラン発射機４０を示めしている。発射機４０は、前述した発射機２０と機能的に同等であって、図において発射機の部品は、発射機２０の部品と同一の機能を果すべく使用されているものと同一符号が付されている。しかしながら発射機４０は、付加的な利点を有していて、好ましくは切断し折り曲げるのに適切な、ポリスチレンのようなプラスチックの、弾性材料の単一シートで完全に作られている。
【００２７】
図４は形状に切断され、折り曲げる準備の整ったシート２２を示めしている。作動可能な部材２５が、長い突き出し部３３から作られていて、シート２２から部分的に切り離されている。図５および６に示めされるように、突き出し部３３は、部材２５の先端３２に一致する線にそって折り曲げられていて、上向き９０度の角度（紙面に垂直に）に折り曲げられる。突き出し部３３の端部における溝穴は、シート２２の対応する溝に咬合し、部材２５は所定の位置にきっちりと固定される。この形状において、わん曲した突き出し部３３は機械的な強度および弾力性を備えている。部材２５が、引きもどされる（図５および６において下向き）と、シート２２の面に垂直な軸の周囲で曲がり、続いて解放されるとはね返り、ブーメランを前方に推進する。
【００２８】
図５および６に示めされる形状において、発射機４０は右利きの人々が使用するのに最も適していて、左手でハンドル２４を把持してもよくて、右手を使ってブーメランを発射してもよい。左利きの人々に便利な発射機は、突き出し部３３を曲げる方向と、停止板２３の方向とを反転することにより簡単に製作してもよい。ブーメラン２１が、この“左利き”発射機から発射されると、翼２６および３０の方向は図１に示めされる方向に対して反対となる。この反転はブーメランの飛行特性を変更してもよい。
【００２９】
図７，８，９および１０において、概略的な説明図であるが、本発明の好適な実施の形態における、ブーメラン２１の詳細を示めしている。図７は平面図である。図８および９は側面図であって、図８が翼先端２６の近傍点から見たブーメランを示めしており、図９は翼先端３０の近傍点から見たブーメランを示めしている。図１０は、斜視図的に表わしたものである。
【００３０】
ブーメラン２９が好ましくは、ポリプロピレン（ｐｏｌｙｐｒｏｐｙｌｅｎｅ）またはテスリン（Ｔｅｓｌｉｍ：ＰＰＧ社、Ｐｉｔｔｓｂｕｒｇ，Ｐｅｎｎｓｙｌｖａｎｉａ）のような、柔軟性のある弾性材料の平らな部分から作られていて、好ましくは一方または両側を薄板で被覆されている。シートが、好ましくは、図に示めされるような小さな角度で長手方向、下向きに折り目３６および３７において曲げられていて、リフトフラップ３４および３５を作り、ブーメランが飛び上るような必要とされる空気力学的揚力を起こす。切り込み３８が、好ましくは隣接する翼に作られていて、フラップ３４が間違いなく滑らかに折れることを可能にしている。フラップ３４および３５は、ブーメランの空気力学的特性を変化するべく、翼３１の面に対して上向きでも下向きでも、必要とされるほぼどのような角度にも調節されてもよい。フラップは、翼が空気力学的目的に応じた曲線状断面か可変断面、または容積を有する、従来技術における公知のブーメランのかかえている要求を不要なものとする。
【００３１】
図１１は、本発明の好適な実施の形態における、複数のブーメラン２１が作られるシート５０材料の概略平面図である。ブーメランが、好ましくは従来技術において公知である、簡単で低コストの多量生産を可能にする適切なダイスにより、シートから打ち抜れる。最も好ましくは折り目３６および３７は、ブーメランを打ち抜く際かまたは前もって、シート５０の対応する線に沿って力および／または熱を作用することにより加工される。一般にブーメランの一方または両方の面が、打ち抜かれる前に必要とされる画像を印刷される。このように、ブーメラン２１（発射機２０および４０も同様に）の生産にかかわるほぼ全工程は、印刷業界において公知である標準設備と標準技術とを用いて、実施されてもよい。
【００３２】
図１２は、本発明の好適な実施の形態における、複数のブーメラン２１と、複数の発射機４０とが作られるシート６０材料の概略平面図である。ブーメランおよび発射機の両方が、このように簡単な工程で、同一のシート材料から生産される。この実施の形態は、特に包装および配達において都合が良い。というのは、一つまたはそれ以上のブーメランと、一つまたはそれ以上の発射機とが共に一枚のシート６０に含まれた完全なキット（ｋｉｔ）にすることが可能だからである。
【００３３】
要約すると、本発明の実施の形態における、ブーメランおよび発射機は、簡単で安価に生産され、特別な技術を要することなく簡単で安全に使用することができる。そのブーメランおよび発射機は保管場所または包装容積が非常に少なくて、刊行物にはさみ込んで配達してもよい。ブーメランは、必要とされるほぼどのようなサイズに作られてもよくて、さらに手で容易に投げることが出来ないとか、前述の欧州特許第７１３１９号（ＥＰ０７１３１９）において開示されているような、従来技術で公知の発射機を使用して容易に推進することが出来ないような種類のどのような材料（軽くて比較的破れやすい材料を含めて）から作られてもよい。従来技術において公知の発射機と比較して、発射機２０および４０がブーメランを、ブーメランに対し最小の機械的衝撃で、高速度かつ効果的に推進する。
【００３４】
好適な実施の形態が、一定の形状および寸法のブーメランを引用して前述されたけれど、以下の事は理解されるべきであって、発射機２０および４０は、従来技術において公知の発射機と違って、種々のサイズと種々の形状と種々の翼角度とを有するブーメランを発射するために変更することなく、ほぼ適用可能である。発射機２０および４０は、同様に三枚がそれ以上の翼を有する“ブーメラン”のような種々のデザインの飛行用おもちゃを発射するのに使用されてもよい。様々な他の種類の飛行物体を推進するのに適用可能な発射機は、本発明の原理にもとずいて簡単な変更で生産されてもよい。前述の好適な実施の形態は例として引用しただけであって、本発明の全範囲は特許請求の範囲により制限されることは了解されるであろう。
【図面の簡単な説明】
【図１】  図１は、本発明の好適な実施の形態における、ブーメランと発射機との概略平面図である。
【図２】  図２は、図１におけるブーメランの発射段階を示めす概略平面図である。
【図３】  図３は、図１におけるブーメランと発射機との概略斜視図である。
【図４】  図４は、本発明の好適な実施の形態における、ブーメラン発射機アセンブリー用に切断されるシート材料の概略平面図である。
【図５】  図５は、図４における材料から組立てられた発射機の概略平面図である。
【図６】  図６は、図５における発射機の概略斜視図である。
【図７】  図７は、本発明の好適な実施の形態における、ブーメランの詳細を示めす概略平面図である。
【図８】  図８は、図７におけるブーメランの概略側面図である。
【図９】  図９は、図７におけるブーメランの概略側面図である。
【図１０】  図１０は、図７におけるブーメランの概略斜視図である。
【図１１】  図１１は、本発明の好適な実施の形態におけるブーメランの生産用に切断されるシート材料の概略平面図である。
【図１２】  図１２は、本発明の好適な実施の形態における、ブーメランと発射機との生産用に切断されるシート材料の概略平面図である。
【図１】
0004290885.tif 000002
【図２】
0004290885.tif 000003
【図３】
0004290885.tif 000004
【図４】
0004290885.tif 000005
【図５】
0004290885.tif 000006
【図６】
0004290885.tif 000007
【図７】
0004290885.tif 000008
【図８】
0004290885.tif 000009
【図９】
0004290885.tif 000010
【図１０】
0004290885.tif 000011
【図１１】
0004290885.tif 000012
【図１２】
0004290885.tif 000013